(57)【要約】【課題】  取得したチャンネルおよび受信方向のデータを他の放送受信装置との間で転送できる、放送受信装置およびそれを備えたテレビを提供する。【解決手段】  ユーザはリモコン４２を用いてデータ転送指令を送信する。指令に応じて、制御部１０は、チャンネルおよび受信方向のデータをメモリ１０ｂから読出してインターフェイス部５０へ転送し、インターフェイス部５０は、転送されるチャンネルおよび受信方向のデータを記憶媒体５２へ書込む。また、指令に応じて、インターフェイス部５０は、記憶媒体５２からチャンネルおよび受信方向のデータを読出し、制御部１０へ転送し、制御部１０は、転送されるチャンネルおよび受信方向のデータをメモリ１０ｂに格納する。【選択図】        図１
2006042178.tif 000002
【特許請求の範囲】
【請求項１】
指向性を切換えることにより放送信号を受信できる受信方向を変更可能な受信アンテナに対して、選択した受信方向の指令信号を出力する指令手段と、
前記受信アンテナを介して受信する複数のチャンネルを含む放送信号の中から、選択したチャンネルに対応する放送信号を抽出する選局手段と、
前記選局手段から受けたテレビ放送信号を信号処理する処理手段と、
情報を表示するための信号を生成する表示信号生成手段と、
ユーザからの指令を受付ける入力手段と、
制御手段と、
着脱可能な記憶媒体と接続されてデータの授受を行うインターフェイス手段とを備え、
前記制御手段は、
記憶手段と、
テレビ放送に割当てられる複数のチャンネルの中から受信可能なチャンネルおよび受信方向を取得して前記記憶手段へ書込む第１の書込手段と、
ユーザからの指令に応じて、前記受信可能なチャンネルおよび受信方向を前記記憶手段から読出して前記着脱可能な記憶媒体へ書込む第２の書込手段と、
ユーザからの指令に応じて、前記受信可能なチャンネルおよび受信方向を前記着脱可能な記憶媒体から読出して前記記憶手段へ書込む第３の書込手段と、
ユーザからの前記第２または第３の書込手段の実行指令を受付ける画面を表示する表示手段とを含み、
前記第１の書込手段は、
前記複数のチャンネルの中から１つのチャンネルを順次選択するチャンネル選択手段と、
前記チャンネル選択手段により選択された選択チャンネルに対して、前記受信アンテナの受信方向の中から受信方向を順次選択する方向選択手段と、
前記チャンネル選択手段により選択されたチャンネルおよび前記方向選択手段により選択された選択受信方向に対して、前記放送信号を受信可能か否かを前記処理手段から受けた情報に基づいて判定する判定手段と、
前記判定手段において前記放送信号を受信可能と判定されたチャンネルおよび受信方向を前記記憶手段へ格納する格納手段と、
前記チャンネル選択手段においてすべてのチャンネルを選択するまで、前記方向選択手段、前記判定手段および前記格納手段における各処理を繰返し実行させる検索手段とを含む、放送受信装置。
【請求項２】
指向性を切換えることにより放送信号を受信できる受信方向を変更可能な受信アンテナに対して、選択した受信方向の指令信号を出力する指令手段と、
前記受信アンテナを介して受信する複数のチャンネルを含む放送信号の中から、選択したチャンネルに対応する放送信号を抽出する選局手段と、
取得したチャンネルおよび受信方向を格納する記憶手段と、
外部からの指令に応じて、前記記憶手段に格納されている受信可能なチャンネルおよび受信方向を着脱可能な記憶媒体へ書込む書込手段とを備える、放送受信装置。
【請求項３】
前記着脱可能な記憶媒体と接続されてデータの授受を行うインターフェイス手段をさらに備える、請求項２に記載の放送受信装置。
【請求項４】
外部からの指令に応じて、前記着脱可能な記憶媒体から受信可能なチャンネルおよび受信方向を読出し、前記記憶手段に格納されている受信可能なチャンネルおよび受信方向を前記読出したチャンネルおよび受信方向に置換える更新手段をさらに備える、請求項２または３に記載の放送受信装置。
【請求項５】
前記書込手段または前記更新手段に対する外部からの実行指令を受付ける画面を表示するための信号を生成する表示信号生成手段をさらに備える、請求項２〜４のいずれか１項に記載の放送受信装置。
【請求項６】
前記選局手段から受けた放送信号を信号処理する処理手段と、
前記処理手段から受けた情報に基づいて受信可能か否かを判断し、放送に割当てられる複数のチャンネルの中から予め受信可能なチャンネルおよび受信方向を取得する手段とをさらに備える、請求項２〜５のいずれか１項に記載の放送受信装置。
【請求項７】
他の放送受信装置と接続されてデータの授受を行う通信手段と、
外部からの指令に応じて、前記記憶手段に格納されている受信可能なチャンネルおよび受信方向を他の放送受信装置の記憶手段へ書込む第１の転送手段と、
外部からの指令に応じて、前記他の放送受信装置の記憶手段に格納されている受信可能なチャンネルおよび受信方向を前記記憶手段へ書込む第２の転送手段とをさらに備える、請求項２〜６のいずれか１項に記載の放送受信装置。
【請求項８】
請求項１〜７のいずれか１項に記載の放送受信装置を備えたテレビ。
【発明の詳細な説明】
【技術分野】
【０００１】
この発明は放送受信装置およびそれを備えたテレビに関し、特に指向性の切換えが可能なアンテナを使用する放送受信装置およびそれを備えたテレビに関するものである。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。
【０００３】
八木アンテナは、反射器、放射器および導波器で構成されており、反射器の働きにより導波器側へ強い指向性を有し、利得も大きいといった長所がある。
【０００４】
良好な受信ができるように、八木アンテナは、その指向性が放送局の方向と一致するように設置される。一般的には、アンテナは家屋の屋根等に固定して設置されるので、一旦設置されてしまうと、その指向性を変更することは容易ではない。
【０００５】
そのため、複数の放送局が分散して存在している場合には、その指向性に応じた特定の方向にある放送局の放送信号しか受信できなかった。
【０００６】
そこで、指向性を複数種類に切換えて、分散して存在する各放送局からの電波を受信できるスマートアンテナが考案されている。
【０００７】
このスマートアンテナは、複数のアンテナ素子で構成され、各アンテナ素子を適当な振幅および位相により励振することで指向性を切換えることができる。
【０００８】
したがって、上述のスマートアンテナを用いることで、放送局が分散して存在している場合でも各放送局からの電波が受信可能となる。
【０００９】
特許文献１には、複数の八木アンテナに対して位相差給電を行うことで、指向性を変更できるアンテナが示されている。
【００１０】
また、特許文献２には、リモコンによるチャンネル選択によって、当該チャンネルに対応するようにアンテナの指向性を調整するアンテナ切換器が示されている。
【特許文献１】特開平１１−３３０８４０号公報
【特許文献２】特開２００１−１６８６２７号公報
【発明の開示】
【発明が解決しようとする課題】
【００１１】
放送受信装置は、ユーザフレンドリーの観点からテレビ放送に割当てられているチャンネル群の中から、実際に受信可能なチャンネルを検索して自動割付を行う、いわゆるオートスキャン機能を備えている。
【００１２】
スマートアンテナを用いた放送受信装置においては、オートスキャン時にチャンネルの他に受信方向についても検索が行われ、受信可能なチャンネルとそのチャンネルに対応する受信方向が決定される。
【００１３】
しかし、スマートアンテナの選択可能な受信方向の数に比例して検索対象は増加するため、オートスキャンの実行は非常に時間を要する。
【００１４】
ところで、最近の急速な技術革新により、液晶テレビやプラズマテレビの大型化および安価化が著しい。そのため、比較的短い周期で新たにテレビを購入するユーザも多い。
【００１５】
新たにテレビを購入した時に、以前使用していた放送受信装置をそのまま使用する場合には、ユーザは、オートスキャンを実行して初期設定を行う必要はないが、放送受信装置を備えたテレビを購入等して新たな放送受信装置を使用する場合には、再度オートスキャンを実行して初期設定を行う必要がある。
【００１６】
一方、スマートアンテナまで更新するユーザは稀であるため、以前使用していた放送受信装置の取得しているチャンネルおよび受信方向のデータはそのまま使用できる場合が多い。
【００１７】
しかし、他の放送受信装置との間でデータ転送を行う手段が備わっておらず、ユーザは、購入した放送受信装置において、オートスキャンを実行して初期設定を行わざるを得なかった。そのため、非常に時間がかかり、ユーザにとっては煩わしい作業となっていた。
【００１８】
そこで、この発明は、かかる問題を解決するためになされたものであり、その目的は、取得したチャンネルおよび受信方向のデータを他の放送受信装置との間で転送できる、放送受信装置およびそれを備えたテレビを提供することである。
【課題を解決するための手段】
【００１９】
この発明によれば、指向性を切換えることにより放送信号を受信できる受信方向を変更可能な受信アンテナに対して、選択した受信方向の指令信号を出力する指令手段と、受信アンテナを介して受信する複数のチャンネルを含む放送信号の中から、選択したチャンネルに対応する放送信号を抽出する選局手段と、選局手段から受けたテレビ放送信号を信号処理する処理手段と、情報を表示するための信号を生成する表示信号生成手段と、ユーザからの指令を受付ける入力手段と、制御手段と、着脱可能な記憶媒体と接続されてデータの授受を行うインターフェイス手段とを備える放送受信装置である。制御手段は、記憶手段と、テレビ放送に割当てられる複数のチャンネルの中から受信可能なチャンネルおよび受信方向を取得して記憶手段へ書込む第１の書込手段と、ユーザからの指令に応じて、受信可能なチャンネルおよび受信方向を記憶手段から読出して着脱可能な記憶媒体へ書込む第２の書込手段と、ユーザからの指令に応じて、受信可能なチャンネルおよび受信方向を着脱可能な記憶媒体から読出して記憶手段へ書込む第３の書込手段と、ユーザからの第２または第３の書込手段の実行指令を受付ける画面を表示する表示手段とを含む。第１の書込手段は、複数のチャンネルの中から１つのチャンネルを順次選択するチャンネル選択手段と、チャンネル選択手段により選択された選択チャンネルに対して、受信アンテナの受信方向の中から受信方向を順次選択する方向選択手段と、チャンネル選択手段により選択されたチャンネルおよび方向選択手段により選択された選択受信方向に対して、放送信号を受信可能か否かを処理手段から受けた情報に基づいて判定する判定手段と、判定手段において放送信号を受信可能と判定されたチャンネルおよび受信方向を記憶手段へ格納する格納手段と、チャンネル選択手段においてすべてのチャンネルを選択するまで、方向選択手段、判定手段および格納手段における各処理を繰返し実行させる検索手段とを含む。
【００２０】
また、この発明によれば、指向性を切換えることにより放送信号を受信できる受信方向を変更可能な受信アンテナに対して、選択した受信方向の指令信号を出力する指令手段と、受信アンテナを介して受信する複数のチャンネルを含む放送信号の中から、選択したチャンネルに対応する放送信号を抽出する選局手段と、取得したチャンネルおよび受信方向を格納する記憶手段と、外部からの指令に応じて、記憶手段に格納されている受信可能なチャンネルおよび受信方向を着脱可能な記憶媒体へ書込む書込手段とを備える放送受信装置である。
【００２１】
好ましくは、着脱可能な記憶媒体と接続されてデータの授受を行うインターフェイス手段をさらに備える。
【００２２】
好ましくは、外部からの指令に応じて、着脱可能な記憶媒体から受信可能なチャンネルおよび受信方向を読出し、記憶手段に格納されている受信可能なチャンネルおよび受信方向を読出したチャンネルおよび受信方向に置換える更新手段をさらに備える。
【００２３】
好ましくは、書込手段または更新手段に対する外部からの実行指令を受付ける画面を表示するための信号を生成する表示信号生成手段をさらに備える。
【００２４】
好ましくは、選局手段から受けた放送信号を信号処理する処理手段と、処理手段から受けた情報に基づいて受信可能か否かを判断し、放送に割当てられる複数のチャンネルの中から予め受信可能なチャンネルおよび受信方向を取得する手段とをさらに備える。
【００２５】
好ましくは、他の放送受信装置と接続されてデータの授受を行う通信手段と、外部からの指令に応じて、記憶手段に格納されている受信可能なチャンネルおよび受信方向を他の放送受信装置の記憶手段へ書込む第１の転送手段と、外部からの指令に応じて、他の放送受信装置の記憶手段に格納されている受信可能なチャンネルおよび受信方向を記憶手段へ書込む第２の転送手段とをさらに備える。
【００２６】
また、この発明によれば、上述の放送受信装置を備えたテレビである。
【発明の効果】
【００２７】
この発明によれば、１台の放送受信装置において取得された受信可能なチャンネルおよび受信方向を、記憶媒体を介して他の放送受信装置に転送できるので、他の放送受信装置では、不必要な初期設定を省略でき、速やかに使用を開始できる。
【００２８】
また、この発明によれば、１台の放送受信装置において取得された受信可能なチャンネルおよび受信方向を、通信手段を用いて他の放送受信装置に転送できるので、他の放送受信装置では、不必要な初期設定を省略でき、速やかに使用を開始できる。
【発明を実施するための最良の形態】
【００２９】
この発明の実施の形態について、図面を参照しながら詳細に説明する。なお、図中の同一または相当部分については、同一符号を付してその説明は繰返さない。
【００３０】
［実施の形態１］
この発明の実施の形態１においては、オートスキャン機能により受信可能なチャンネルおよび受信方向を取得でき、さらに記憶媒体を介して、取得したチャンネルおよび受信方向のデータを他の放送受信装置に転送できる、デジタルテレビ放送用の放送受信装置について説明する。
【００３１】
図１は、この発明の実施の形態１に従う放送受信装置の概略構成図である。
【００３２】
図１を参照して、この発明の実施の形態１に従う放送受信装置１は、スマートアンテナ３０から放送信号を受信し、スマートアンテナ３０に対して受信方向切換信号を出力する。また、放送受信装置１は、テレビ４０に対して映像信号および音声信号を出力する。さらに、放送受信装置１は、リモコン４２から指令信号を受信する。
【００３３】
スマートアンテナ３０は、放送受信装置１から受信方向切換信号を受けて、各アンテナ素子に対する励振を変化させて指向性を切換える。
【００３４】
テレビ４０およびリモコン４２は、周知であるので詳細な説明は省略する。
【００３５】
放送受信装置１は、制御部１０と、チューナ１６と、デジタルデコーダ１８と、ＯＳＤ（On Screen Display）２０と、ＭＰＥＧデコーダ２２と、受信方向切換部２４と、リモコン受信部２６と、インターフェイス部５０とからなる。
【００３６】
制御部１０は、プログラムを実行するＣＰＵ（Central Processing Unit）１０ａと、実行されるプログラム、プログラム実行中のデータ、およびプログラム実行結果のデータを記憶するメモリ１０ｂとからなる。
【００３７】
チューナ１６は、受信した放送信号の中から、制御部１０からの指令に応じて選択されたチャンネルに対応する放送信号を抽出して、デジタルデコーダ１８へ出力する。
【００３８】
デジタルデコーダ１８は、チューナ１６から放送信号を受けて、映像および音声の信号であるＭＰＥＧ信号に復号し、そのＭＰＥＧ信号をＭＰＥＧデコーダ２２へ出力する。
【００３９】
ここで、デジタルテレビ放送信号は、リード・ソロモン符号および畳み込み符号で符号化されて送信される。そのため、デジタルデコーダ１８は、上述の復号処理において誤り訂正ができる。この誤り訂正の処理過程において、デジタルデコーダ１８は、受信した放送信号の受信データ誤り率を演算し、その受信データ誤り率を制御部１０へ出力する。このとき、デジタルデコーダ１８は、受信した放送信号に含まれる所定のデータ数毎に誤り訂正を行うので、受信開始から１フレーム（１／３０秒）以内で受信データ誤り率の演算ができる。
【００４０】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の実施の形態１におけるデジタルデコーダ１８は、上述のいずれの方式を用いてもよい。
【００４１】
ＯＳＤ２０は、制御部１０からの指令に応じて、テレビ４０の画面上に情報を表示するための信号を生成して、ＭＰＥＧデコーダ２２へ出力する。
【００４２】
ＭＰＥＧデコーダ２２は、デジタルデコーダ１８から受けたＭＰＥＧ信号とＯＳＤ２０が生成した信号とを合成した後、映像信号および音声信号に復号してテレビ４０へ出力する。
【００４３】
受信方向切換部２４は、制御部１０からの指令に応じて、受信方向切換信号をスマートアンテナ３０へ出力する。
【００４４】
リモコン受信部２６は、リモコン４２からの指令を受信して制御部１０へ出力する。ユーザは、所望の動作を行わせるためリモコン４２を用いて、指令を送信する。
【００４５】
インターフェイス部５０には、記憶媒体５２が装着される。インターフェイス部５０は、制御部１０とデータの授受を行い、制御部１０から転送されたデータを記憶媒体５２に書込み、また記憶媒体５２から読出したデータを制御部１０へ転送する。
【００４６】
なお、記憶媒体５２としては、脱着可能でかつ読出しおよび書込みが可能であればよく、例えば、ＰＣＭＣＩＡ（Personal Computer Memory Card International Association）準拠のメモリカード、ＥＰＲＯＭ（Erasable Programmable Read Only Memory）、ＥＥＰＲＯＭ（Electronically Erasable and Programmable Read Only Memory）、ＣＤ−Ｒ（Compact Disk Recordable）、ＣＤ−ＲＷ（Compact Disk ReWritable）、ハードディスク、フレキシブルディスク、カセットテープ、ＭＯ（Magnetic Optical Disc）、ＭＤ（Mini Disc）、ＤＶＤ−Ｒ（Digital Versatile Disk Recordable）およびＤＶＤ−ＲＡＭ（Digital Versatile Disk Random Access Memory）などが挙げられる。
【００４７】
また、インターフェイス部５０としては、上述の記憶媒体５２に対応したものを用いる必要があり、読出しおよび書込み機能を備えない、ＰＣカードスロット、ＳＣＳＩ（Small Computer System Interface）およびＩＤＥ（Integrated Device Electronics）と、読出しおよび書込み機能を備える、ＣＤ−Ｒドライブ、フレキシブルディスクドライブ、ＭＯドライブ、ＭＤドライブおよびＤＶＤドライブなどが挙げられる。
【００４８】
まず、オートスキャンを実行して、テレビ放送に割当てられているチャンネルの中から受信可能なチャンネルおよび受信方向を取得する処理について説明する。
【００４９】
図２は、この発明の実施の形態１に従うオートスキャンを実行するプログラムのフローチャートである。
【００５０】
図２を参照して、制御部１０は、テレビ放送に割当てられているチャンネルの中から先頭のチャンネルを選択する（ステップＳ１０）。
【００５１】
次に、制御部１０は、先頭の受信方向を選択する（ステップＳ１２）。
【００５２】
受信方向切換部２４は、受信方向の切換信号をスマートアンテナ３０へ出力する。スマートアンテナ３０は、受信方向切換部２４から受信方向切換信号を受けて、各アンテナ素子に対する励振を変化させて指向性を切換える。
【００５３】
また、チューナ１６は、スマートアンテナ３０から受信した放送信号の中から、制御部１０からの指令に応じて選択された先頭のチャンネルに対応する放送信号を抽出して、デジタルデコーダ１８へ出力する。デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【００５４】
制御部１０は、受信可否を判断するため、受信データ誤り率が規定値以下か否かを判断する（ステップＳ１４）。実施の形態１においては、一例として規定値を１０％として、受信データ誤り率が１０％以下であれば、受信可能と判断する。
【００５５】
受信データ誤り率が規定値を超えている場合（ステップＳ１４においてＮＯの場合）には、制御部１０は、最後の受信方向が選択されているか否かを判断する（ステップＳ１６）。
【００５６】
最後の受信方向が選択されていない場合（ステップＳ１６においてＮＯの場合）には、制御部１０は、次の受信方向を選択する（ステップＳ１８）。
【００５７】
以下、上述したステップＳ１４，Ｓ１６，Ｓ１８を、ステップＳ１４において受信データ誤り率が規定値以下となるか、またはステップＳ１６において最後の受信方向が選択されるまで繰返す。
【００５８】
受信データ誤り率が規定値以下の場合（ステップＳ１４においてＹＥＳの場合）には、制御部１０は、受信可能と判断して、選択しているチャンネル番号と受信方向番号を格納（ステップＳ２０）する。
【００５９】
チャンネル番号と受信方向番号が格納（ステップＳ２０）され、または最後の受信方向が選択された場合（ステップＳ１６においてＹＥＳの場合）には、制御部１０は、最後のチャンネルが選択されているか否かを判断する（ステップＳ２２）。
【００６０】
最後のチャンネルが選択されていない場合（ステップＳ２２においてＮＯの場合）には、制御部１０は、次のチャンネルを選択する（ステップＳ２４）。
【００６１】
以下、上述したステップＳ１２，Ｓ１４，Ｓ１６，Ｓ１８，Ｓ２０，Ｓ２２，Ｓ２４を、ステップＳ２２において最後のチャンネルが選択されるまで繰返す。
【００６２】
以上の処理により、テレビ放送に割当てられているチャンネルの中から受信可能なチャンネルと受信方向が取得される。
【００６３】
さらに、上述のステップＳ２０のチャンネル番号と受信方向番号の格納処理において、記憶領域を小さくするためのデータ構造の最適化について説明する。
【００６４】
なお、実施の形態１においては、テレビ放送に割当てられるチャンネルは、１〜１０チャンネルとする。また、スマートアンテナ３０は、１〜１６に番号付けられた受信方向を選択できるとする。
【００６５】
図３は、この発明の実施の形態１に従うチャンネルおよび受信方向のデータ構造を示す図である。
【００６６】
図３（ａ）は、最適化されたチャンネルおよび受信方向のデータ構造を示す図である。
【００６７】
図３（ｂ）は、通常のチャンネルおよび受信方向のデータ構造を示す図である。
【００６８】
通常のデータ格納手段においては、図３（ｂ）に示すように、受信可能と判断されたチャンネルおよび受信方向が順次格納される。そのため、全てのチャンネルが格納できるように、テレビ放送に割当てられているチャンネル数に対応した記憶領域が必要である。つまり、１０チャンネル分のチャンネルおよび受信方向の記憶領域が必要となる。
【００６９】
一方、記憶領域を小さくするために、図３（ａ）に示すように、チャンネル番号に対応付けて受信方向のみが格納される。この場合、受信可能ではないチャンネルについては、スマートアンテナ３０に対して無効な番号、例えば「０」が格納される。
【００７０】
つまり、図３（ａ）を参照して、記憶領域の「Ｎｏ.３」には、「２」が格納されている。これは、チャンネル「３」が受信方向「２」において受信可能となったことを意味する。また、記憶領域「Ｎｏ.２」には、「０」が格納されている。これは、チャンネル「２」は受信不可であることを意味する。
【００７１】
以上のように、データ構造を最適化することにより、通常の記憶領域に対して約半分の記憶領域で足りるため、メモリ１０ｂおよび記憶媒体５２の記憶容量を小さくできる。
【００７２】
次に、放送受信装置１に取得されているチャンネルおよび受信方向のデータの記憶媒体５２への書込処理について説明する。
【００７３】
図４は、この発明の実施の形態１に従うデータ転送指令画面の一例である。
【００７４】
まず、ユーザは、リモコン４２を用いてデータ転送指令画面を呼び出すための指令を送信する。すると、リモコン受信部２６がリモコン４２からの指令を受信して制御部１０へ出力する。制御部１０は、リモコン受信部２６からの指令を受信して、所定の画面を表示するようにＯＳＤ２０に指令を送信する。ＯＳＤ２０は、所定の画面を表示するための信号を生成する。ＭＰＥＧデコーダ２２は、ＯＳＤ２０の作成した信号とデジタルデコーダ１８からの信号とを合成してテレビ４０へ出力する。
【００７５】
すると、図４に示すようなデータ転送指令画面が、テレビ４０の画面上に表示される。
【００７６】
次に、ユーザは、リモコン４２を用いて、『放送受信装置→メモリカード』の『実行』の項目を選択して開始指令を送信する。すると、リモコン受信部２６がリモコン４２からの指令を受信して制御部１０へ出力する。制御部１０は、リモコン受信部２６からの指令を受信して、チャンネルおよび受信方向のデータをメモリ１０ｂから読み出してインターフェイス部５０へ転送する。
【００７７】
インターフェイス部５０は、制御部１０から転送されたチャンネルおよび受信方向のデータを記憶媒体５２へ書込む。書込完了後、制御部１０は、画面の表示を終了するようにＯＳＤ２０に指令を送信する。
【００７８】
以上のように、放送受信装置１に取得されているチャンネルおよび受信方向のデータが記憶媒体５２へ書込まれる。
【００７９】
さらに、記憶媒体５２に記憶されているチャンネルおよび受信方向のデータの放送受信装置１への格納処理について説明する。
【００８０】
まず、ユーザは、リモコン４２を用いてデータ転送指令画面を呼び出すための指令を送信する。すると、上述と同様の処理が実行され、図４に示すようなデータ転送指令画面が、テレビ４０の画面上に表示される。
【００８１】
次に、ユーザは、リモコン４２を用いて、『メモリカード→放送受信装置』の『実行』の項目を選択して開始指令を送信する。すると、リモコン受信部２６がリモコン４２からの指令を受信して制御部１０へ出力する。制御部１０は、リモコン受信部２６からの指令を受信して、インターフェイス部５０へ転送指令を送信する。インターフェイス部５０は、制御部１０から転送指令を受けて、記憶媒体５２からチャンネルおよび受信方向のデータを読出し、制御部１０へ転送する。制御部１０は、インターフェイス部５０から転送されたチャンネルおよび受信方向のデータをメモリ１０ｂに格納する。格納完了後、制御部１０は、画面の表示を終了するようにＯＳＤ２０に指令を送信する。
【００８２】
以上のように、記憶媒体５２に記憶されているチャンネルおよび受信方向のデータが放送受信装置１へ格納される。
【００８３】
上述の実施の形態１においては、受信方向切換部２４は「指令手段」を構成し、チューナ１６は「選局手段」を構成し、デジタルデコーダ１８は「処理手段」を構成し、ＯＳＤ２０は「表示信号生成手段」を構成し、リモコン受信部２６は「入力手段」を構成し、制御部１０は「制御手段」を構成し、インターフェイス部５０は「インターフェイス手段」を構成する。
【００８４】
また、制御部１０は「記憶手段」、「第１の書込手段」、「第２の書込手段」、「第３の書込手段」および「表示手段」を構成する。
【００８５】
さらに、制御部１０は「チャンネル選択手段」、「方向選択手段」、「判定手段」、「格納手段」および「検索手段」を構成する。
【００８６】
なお、上述の実施の形態１においては、デジタルテレビ放送について説明したが、アナログテレビ放送についてもオートスキャンは可能であり同様に適用できることは言うまでもない。その場合、アナログテレビ放送に含まれる水平同期信号の捕捉の可否等で放送信号の受信の可否を判断できる。
【００８７】
これにより、１台の放送受信装置において、オートスキャンを実行して取得された受信可能なチャンネルおよび受信方向を、記憶媒体を介して他の放送受信装置に転送できるので、他の放送受信装置では、不必要な初期設定を省略でき、速やかに使用を開始できる。
【００８８】
［実施の形態２］
上述の実施の形態１においては、記憶媒体を介してチャンネルおよび受信方向のデータが他の放送受信装置へ転送される。
【００８９】
一方、実施の形態２においては、記憶媒体を用いず通信手段により、チャンネルおよび受信方向のデータが他の放送受信装置へ直接転送される場合について説明する。
【００９０】
図５は、この発明の実施の形態２に従う放送受信装置の概略構成図である。
【００９１】
以下では、同一の構成を有する２台の放送受信装置間で転送を行う場合について説明する。
【００９２】
図５を参照して、この発明の実施の形態２に従う放送受信装置２は、制御部１０と、チューナ１６と、デジタルデコーダ１８と、ＯＳＤ２０と、ＭＰＥＧデコーダ２２と、受信方向切換部２４と、リモコン受信部２６と、通信部６０とからなる。
【００９３】
制御部１０と、チューナ１６と、デジタルデコーダ１８と、ＯＳＤ２０と、ＭＰＥＧデコーダ２２と、受信方向切換部２４と、リモコン受信部２６とについては、上述の実施の形態１と同様であるので説明は省略する。
【００９４】
通信部６０は、通信ケーブル６２を介して他方の放送受信装置２の通信部６０と接続される。また、通信部６０は共通のプロトコルを用いて他方の通信部６０とデータ授受を行う。さらに、通信部６０は制御部１０とのデータ授受を行い、制御部１０から転送されたデータを他方の通信部６０へ転送し、また他方の通信部６０から転送されたデータを制御部１０へ転送する。
【００９５】
なお、通信部６０に用いる通信方式としては、例えば、ＵＳＢ（Universal Serial Bus）、ＩＥＥＥ（the Institute of Electrical and Electronics Engineers, Inc）１３９４などが挙げられる。さらに、通信ケーブル６２を用いない無線通信を採用してもよく、例えば、ＩｒＤＡ（Infrared Data Association）、ブルートゥース（Bluetooth）等が挙げられる。
【００９６】
以下では、第１の放送受信装置に取得されているチャンネルおよび受信方向のデータを第２の放送受信装置へ転送する操作について説明する。
【００９７】
ユーザは、上述の実施の形態１と同様に、リモコン４２を用いてデータ転送指令画面を呼び出すための指令を第１の放送受信装置に対して送信する。上述と同様の処理が実行され、データ転送指令画面が第１の放送受信装置と接続されているテレビ４０の画面上に表示される。
【００９８】
次に、ユーザは、リモコン４２を用いて、データ転送開始指令を第１の放送受信装置に対して送信する。すると、第１の放送受信装置のリモコン受信部２６がリモコン４２からの指令を受信して第１の放送受信装置の制御部１０へ出力する。第１の放送受信装置の制御部１０は、第１の放送受信装置のリモコン受信部２６からの指令を受信して、チャンネルおよび受信方向のデータをメモリ１０ｂから読み出して第１の放送受信装置の通信部６０へ転送する。第１の放送受信装置の通信部６０は、第１の放送受信装置の制御部１０から転送されたチャンネルおよび受信方向のデータを第２の放送受信装置の通信部６０へ転送する。第２の放送受信装置の通信部６０は、第１の放送受信装置の通信部６０から転送されたチャンネルおよび受信方向のデータを第２の放送受信装置の制御部１０へ転送する。第２の放送受信装置の制御部１０は、第２の放送受信装置の通信部６０から転送されたチャンネルおよび受信方向のデータをメモリ１０ｂに格納する。
【００９９】
転送完了後、第１の放送受信装置の制御部１０は、画面の表示を終了するように第１の放送受信装置のＯＳＤ２０に指令を送信する。
【０１００】
以上のように、一方の放送受信装置に取得されているチャンネルおよび受信方向のデータが他方の放送受信装置へ転送される。
【０１０１】
上述と同様の操作を、第２の放送受信装置に対して行うことにより、第２の放送受信装置に取得されているチャンネルおよび受信方向のデータが第１の放送受信装置へ転送される。
【０１０２】
これにより、１台の放送受信装置において、オートスキャンを実行して取得された受信可能なチャンネルおよび受信方向を、通信手段を用いて他の放送受信装置に転送できるので、他の放送受信装置では、不必要な初期設定を省略でき、速やかに使用を開始できる。
【０１０３】
また、記憶媒体を用いる場合よりも操作が単純で、より速やかに転送できる。
【０１０４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１０５】
【図１】この発明の実施の形態１に従う放送受信装置の概略構成図である。
【図２】この発明の実施の形態１に従うオートスキャンを実行するプログラムのフローチャートである。
【図３】この発明の実施の形態１に従うチャンネルおよび受信方向のデータ構造を示す図である。
【図４】この発明の実施の形態１に従うデータ転送指令画面の一例である。
【図５】この発明の実施の形態２に従う放送受信装置の概略構成図である。
【符号の説明】
【０１０６】
１，２  放送受信装置、１０  制御部、１０ａ  ＣＰＵ、１０ｂ  メモリ、１６  チューナ、１８  デジタルデコーダ、２０  ＯＳＤ、２２  ＭＰＥＧデコーダ、２４  受信方向切換部、２６  リモコン受信部、３０  スマートアンテナ、４０  テレビ、４２  リモコン、５０  インターフェイス部、５２  記憶媒体、６０  通信部、６２  通信ケーブル。
【図１】
2006042178.tif 000003
【図２】
2006042178.tif 000004
【図３】
2006042178.tif 000005
【図４】
2006042178.tif 000006
【図５】
2006042178.tif 000007